(57)【要約】【課題】操作性のよい電子番組表を作成する情報処理装置及び情報処理方法を提供する。【解決手段】実施形態によれば、情報処理装置は、少なくとも第１の番組構成枠及び第２の番組構成枠を含む複数の番組構成枠で構成される電子番組表内でカーソル移動可能である。情報処理装置は、描画処理手段を備える。前記描画処理手段は、前記電子番組表内で移動する前記カーソルが位置する前記第１の番組構成枠の番組と同一番組の前記第２の番組構成枠を、前記第１の番組構成枠及び前記第２の番組構成枠以外の番組構成枠よりも強調表示処理する。【選択図】図２
2013175926.tif 000002
【特許請求の範囲】
【請求項１】
少なくとも第１の番組構成枠及び第２の番組構成枠を含む複数の番組構成枠で構成される電子番組表内でカーソル移動可能な情報処理装置において、
前記電子番組表内で移動する前記カーソルが位置する前記第１の番組構成枠の番組と同一番組の前記第２の番組構成枠を、前記第１の番組構成枠及び前記第２の番組構成枠以外の番組構成枠よりも強調表示処理する描画処理手段と、
を備える情報処理装置。
【請求項２】
前記第１の番組構成枠及び前記第２の番組構成枠は、マルチチャンネルに対応し、
前記第２の番組構成枠は、前記第１の番組構成枠と同時間帯である、請求項１記載の情報処理装置。
【請求項３】
前記描画処理手段は、前記第１の番組構成枠及び前記第２の番組構成枠に色を付す、請求項１記載の情報処理装置。
【請求項４】
前記描画処理手段は、前記第１の番組構成枠に付す色の類似色を前記第２の番組構成枠に付す、請求項３記載の情報処理装置。
【請求項５】
前記描画処理手段は、前記第１の番組構成枠及び前記第２の番組構成枠を枠で囲う、請求項１記載の情報処理装置。
【請求項６】
前記カーソルのチャンネル間移動のユーザ操作に基づいて、前記第１の番組構成枠と前記第２の番組構成枠が隣接する場合、前記第２の番組構成枠をスキップして前記カーソルを移動処理する移動処理手段を備える、請求項１記載の情報処理装置。
【請求項７】
少なくとも第１の番組構成枠及び第２の番組構成枠を含む複数の番組構成枠で構成される電子番組表内でカーソル移動可能な情報処理方法において、
前記電子番組表内で移動する前記カーソルが位置する前記第１の番組構成枠の番組と同一番組の第２の番組構成枠を、前記第１の番組構成枠及び第２の番組構成枠以外の番組構成枠よりも強調表示処理する、
情報処理方法。
【発明の詳細な説明】
【技術分野】
【０００１】
本実施形態は、情報を処理する情報処理装置及び情報処理方法に関する。
【背景技術】
【０００２】
現在、マルチチャンネル放送では、同一放送局が異なるチャンネルで複数の番組（以降、マルチチャンネル番組という）を同時放送している。マルチチャンネル番組は、時間帯によっては、同一番組であったり、異なる番組であったりする。
【０００３】
一方、テレビは、ユーザ（視聴者）の利便性を考慮した電子番組表(ＥＰＧ(Electric Program Guide))を表示するように様々な機能を備える。電子番組表は、このようなマルチチャンネル番組をチャンネル毎に別個に表示可能である（以降、マルチチャンネル表示という）。例えば、電子番組表は、マルチチャンネル番組が同一番組である場合、個別に番組構成枠を表示したり、一つの番組としてまとめた一つの番組構成枠を表示したりする。
【先行技術文献】
【特許文献】
【０００４】
【特許文献１】特許第４４９２９７３号明細書
【発明の概要】
【発明が解決しようとする課題】
【０００５】
しかしながら、前者のように個別に番組構成枠が表示されている場合、電子番組表は、マルチチャンネル番組で同一番組が運用（放送）されていることを明示的に表示していない。ユーザは、マルチチャンネル番組で同一番組が運用されていることが直感的に判りにくい。そのため、ユーザは、電子番組表上でのカーソル操作中に混乱を起こす可能性がある。
【０００６】
一方、後者のように、一つの番組としてまとめた一つの番組構成枠が表示されている場合、電子番組表は、マルチチャンネル番組の運用に沿って表示していない。そのため、視聴者は、同一番組のマルチチャンネル表示の有無を確認できない。
【０００７】
本発明の目的は、操作性のよい電子番組表を作成する情報処理装置及び情報処理方法を提供することである。
【課題を解決するための手段】
【０００８】
実施形態によれば、情報処理装置は、少なくとも第１の番組構成枠及び第２の番組構成枠を含む複数の番組構成枠で構成される電子番組表内でカーソル移動可能である。情報処理装置は、描画処理手段を備える。前記描画処理手段は、前記電子番組表内で移動する前記カーソルが位置する前記第１の番組構成枠の番組と同一番組の前記第２の番組構成枠を、前記第１の番組構成枠及び前記第２の番組構成枠以外の番組構成枠よりも強調表示処理する。
【図面の簡単な説明】
【０００９】
【図１】第１の実施形態に係る映像表示装置の概略構成を示すブロック図。
【図２】第１の実施形態に係る電子番組表の画面図。
【図３】第１の実施形態に係る電子番組表の表示処理の一例を示すフローチャート。
【図４】第２の実施形態に係る電子番組表の表示処理の一例を示すフローチャート。
【発明を実施するための形態】
【００１０】
以下、本実施形態について図面を参照して説明する。図１は、第１の実施形態に係る映像表示装置（情報処理装置）１の概略構成を示すブロック図である。映像表示装置１は、衛星デジタル放送チューナ１１、ＰＳＫ(phase shift keying)復調モジュール１２、地上デジタル放送チューナ１３、ＯＦＤＭ(orthogonal frequency division multiplexing)復調モジュール１４、信号処理モジュール１５、グラフィック処理モジュール１６、ＯＳＤ(on screen display)信号作成モジュール１７、映像処理モジュール１８、ディスプレイ１９、音声処理モジュール２０、スピーカ２１、制御モジュール２２、操作部２３、受光モジュール２４、通信Ｉ/Ｆ(Interface)２５を備える。
【００１１】
衛星デジタル放送チューナ１１は、ＢＳ／ＣＳデジタル放送受信用のアンテナ４で受信した衛星デジタルテレビジョン放送信号を、入力端子２６を介して受信する。衛星デジタル放送チューナ１１は、いずれかのチャンネルの放送信号を選局する。衛星デジタル放送チューナ１１は、選局した放送信号をＰＳＫ復調モジュール１２に出力する。ＰＳＫ復調モジュール１２は、放送信号をデジタルの映像信号及び音声信号に復調する。ＰＳＫ復調モジュール１２は、デジタルの映像信号及び音声信号を信号処理モジュール１５に出力する。
【００１２】
地上デジタル放送チューナ１３は、地上波放送受信用のアンテナ５で受信した地上デジタルテレビジョン放送信号を、入力端子２７を介して受信する。地上デジタル放送チューナ１３は、いずれかのチャンネルの放送信号を選局する。地上デジタル放送チューナ１３は、選局した放送信号をＯＦＤＭ復調モジュール１４に出力する。ＯＦＤＭ復調モジュール１４は、放送信号をデジタルの映像信号及び音声信号に復調する。ＯＦＤＭ復調モジュール１４は、デジタルの映像信号及び音声信号を信号処理モジュール１５に出力する。
【００１３】
信号処理モジュール１５は、ＰＳＫ復調モジュール１２またはＯＦＤＭ復調モジュール１４から供給されたデジタルの映像信号及び音声信号に対して、所定のデジタル信号処理を施し、グラフィック処理モジュール１６及び音声処理モジュール２０に出力する。グラフィック処理モジュール１６は、信号処理モジュール１５から供給されるデジタルの映像信号に、ＯＳＤ信号作成モジュール１７が作成するＯＳＤ信号（一例として電子番組表）を選択的に重畳して出力する。グラフィック処理モジュール１６は、デジタルの映像信号を映像処理モジュール１８に出力する。映像処理モジュール１８は、デジタルの映像信号をディスプレイ１９で表示可能なフォーマットの映像信号に変換する。映像処理モジュール１８は、ディスプレイ１９に映像信号を出力する。
【００１４】
ディスプレイ１９は、映像信号に基づく映像を表示する。映像処理モジュール１８は、出力端子２８を介して映像信号を外部に導出することもできる。この場合、出力端子２８に接続された外部機器（ディスプレイ）が、出力端子２８に供給された映像信号に基づく映像を表示する。
【００１５】
音声処理モジュール２０は、信号処理モジュール１５から供給されるデジタルの音声信号を、スピーカ２１で再生可能なフォーマットの音声信号に変換する。音声処理モジュール２０は、スピーカ２１に音声信号を出力する。スピーカ２１は、音声信号に基づく音声を出力する。音声処理モジュール２０は、出力端子２９を介して音声信号を外部に導出することもできる。この場合、出力端子２９に接続された外部機器（スピーカ）が、出力端子２９に供給された音声信号に基づく音声を出力する。
【００１６】
制御モジュール２２は、ＣＰＵ(central processing unit)２２１、ＲＯＭ(Read Only memory)２２２、RAM(Random access Memory)２２３、不揮発性メモリ２２４を備える。ＣＰＵ２２１は、操作部２３からの操作情報または受光モジュール２４を介してリモートコントローラ６から受信する操作情報を受け取り、その操作内容が反映されるように各部を制御する。ＣＰＵ２２１は、後述するように、移動制御手段２２１ａ、描画制御手段２２１ｂを備える。ＲＯＭ２２２は、ＣＰＵ２２１が実行する制御プログラムを格納する。ＲＡＭは２２３、ＣＰＵ２２１に作業エリアを提供する。不揮発性メモリ２２４は、各種情報を格納する。通信Ｉ／Ｆ２５は、制御モジュール２２とＬＡＮ端子３０と接続する。通信Ｉ／Ｆ２５は、インターネット等のネットワークと接続可能である。また、通信Ｉ／Ｆ２５は、ネットワークを介して接続された外部機器からコンテンツの信号を受信できる。
【００１７】
次に、ＣＰＵ２２１による電子番組表の作成処理について説明する。ＣＰＵ２２１は、衛星デジタル放送チューナ１１または地上デジタル放送チューナ１３で受信した放送信号からSI(service information)に含まれるEIT(event information table)スケジュール情報を取得し、不揮発性メモリ２２４に保存する。ＣＰＵ２２１は、EITスケジュール情報に基づいて、一例として以下のように構成された各番組の番組情報を含めた１週間先までの各チャンネル（マルチチャンネルも含む）の電子番組表を作成する。電子番組表は、横軸がチャンネル、縦軸が時間帯に設定された２次元の表である。チャンネル列は、各番組に対応する番組構成枠が時系列に沿って連なるように構成されている。各チャンネル列は、互いに若干の隙間を空けて構成されている。ＣＰＵ２２１は、ユーザによるリモートコントローラ６の操作（以降、ユーザ操作ともいう）に基づいて、映像表示装置１９の背景（一般に黒地）に重畳して電子番組表を表示制御する。したがって、電子番組表における各チャンネル間に見える背景の色は、ちょうどチャンネル間の境界線に見える。なお、ＣＰＵ２２１は、通信Ｉ／Ｆ２５を介してインターネットから取得した情報に基づいて各チャンネル（マルチチャンネルも含む）の電子番組表を作成するようにしてもよい。
【００１８】
次に、第１の実施形態に係る電子番組表の表示例について説明する。図２は、映像表示装置１９に表示される電子番組表の一例である。ここで、０２１チャンネル、０２２チャンネル、０２３チャンネルは、同一放送局が異なるチャンネルで複数の番組が同時放送されるマルチチャンネルである。ＣＰＵ２２１は、マルチチャンネルを含む全てのチャンネルの番組について、番組単位で番組構成枠を作成した電子番組表を表示制御する。ＣＰＵ２２１は、マルチチャンネル番組が同一番組であっても、異なる番組であっても、チャンネル毎に個別の番組構成枠を作成した電子番組表を表示制御する。つまり、ＣＰＵ２２１は、マルチチャンネル番組についてもマルチチャンネル表示で作成した電子番組表を表示制御する。なお、各番組構成枠は、一例として白地に黒文字表示で構成されているが、これに限定されない。
【００１９】
次に、第１の実施形態に係る電子番組表上でのカーソル表示処理、番組表示枠の描画処理について説明する。ＣＰＵ２２１（移動制御手段２２１ａ）は、ユーザ操作（リモートコントローラ６の方向キーの操作）に基づいて、電子番組表を構成する複数の番組構成枠単位（番組構成枠間）でカーソルの位置を移動制御する。ＣＰＵ２２１（描画処理手段２２１ａ）は、カーソル位置の移動に応じて、カーソルが位置する番組構成枠に色を付す（着色する）ように描画処理する。なお、第１の実施形態では、電子番組表内で移動するカーソルが位置する番組構成枠を第１の番組構成枠というものとする。ＣＰＵ２２１は、一例として、第１の番組構成枠に黄色を付すように描画処理する。したがって、ユーザは、黄色が付された番組構成枠を見ることで、カーソル位置を確認することができる。なお、第１の番組構成枠に付される色は一例であり、これに限定されない。
【００２０】
ＣＰＵ２２１（描画処理手段２２１ａ）は、第１の番組構成枠の番組と同一の番組が同一時間帯にマルチチチャンネル番組に含まれている場合、マルチチチャンネル番組のうち第１の番組構成枠以外の番組構成枠を次のように描画処理する。
【００２１】
一例として、ＣＰＵ２２１（描画処理手段２２１ａ）は、マルチチチャンネル番組のうち第１の番組構成枠の番組と同一番組の番組構成枠に色を付すように描画処理する。なお、第１の実施形態では、マルチチチャンネル番組のうち第１の番組構成枠の番組と同一番組の番組構成枠を第２の番組構成枠というものとする。ＣＰＵ２２１（描画処理手段２２１ａ）は、第１の番組構成枠に付す色と同色または異なる色を付して描画処理する。ＣＰＵ２２１（描画処理手段２２１ａ）は、第１の番組構成枠に付す色と異なる色を第２の番組構成枠に付す場合、第１の番組構成枠に付す色の類似色（例えば淡い緑色）を第２の番組構成枠に付すように描画処理する。第２の番組構成枠に類似色が付されることで、ユーザは、色の関連性から、第１の番組構成枠の番組と同一番組がマルチチャンネル番組として運用されていることを容易に判別可能である。さらに、第２の番組構成枠に第１の番組構成枠に付す色と同一色ではなく類似色が付されることで、ユーザは、電子番組表がマルチチャンネル番組の運用に沿ったマルチチャンネル毎の番組構成枠で構成されていることを容易に判別可能である。
【００２２】
図２に示す電子番組表を例にして説明すると、カーソルは、マルチチャンネル番組に含まれる０２１チャンネルの５時開始の番組の番組構成枠に位置している。この番組構成枠は、黄色が付されている。マルチチャンネル番組に含まれる０２２チャンネル、０２３チャンネルの５時開始の番組は、０２１チャンネルの番組（カーソルが位置する番組構成枠の番組）と同一である。そのため、０２２チャンネル、０２３チャンネルの５時開始の番組の番組構成枠は、淡い緑が付されている。
【００２３】
他の例として、ＣＰＵ２２１（描画処理手段２２１ｂ）は、第１の番組構成枠と、第２の番組構成枠を一つの枠で囲うように描画処理してもよい。図２に示す電子番組表を例にして説明すると、カーソルは、マルチチャンネル番組に含まれる０２１チャンネルの７時開始の番組の番組構成枠に位置している。この番組構成枠は、黄色が付されている。マルチチャンネル番組に含まれる０２２チャンネル、０２３チャンネルの７時開始の番組は、０２１チャンネルの番組（カーソルが位置する番組構成枠の番組）と同一である。マルチチャンネル番組に含まれる０２１チャンネル、０２２チャンネル、０２３チャンネルの７時開始の番組の番組構成枠は、互いに隣接しているため、１つの枠で囲われている。
【００２４】
つまり、少なくとも第１の番組構成枠及び第２の番組構成枠を含む複数の番組構成枠で構成される電子番組表内でカーソル移動可能な映像表示装置１において、ＣＰＵ２２１（描画処理手段２２１ａ）は、第１の番組構成枠の番組と第２の番組構成枠を、これらの番組構成枠（第１の番組構成枠及び第２の番組構成枠）以外の番組構成枠よりも強調表示処理する。なお、ＣＰＵ２２１（描画処理手段２２１ａ）は、第１の番組構成枠と第２の番組構成枠を一つの同類グループとして、他の番組構成枠よりも強調表示処理（明示的な表示処理）できればよく、その手法は上記例に限られない。ＣＰＵ２２１（描画処理手段２２１ａ）は、上記説明したように番組構成枠に色を付したり、枠で囲ったりする以外に、模様を付したり、番組構成枠を拡大表示したり、これらを組み合わせたりしても良い。
【００２５】
なお、ＣＰＵ２２１は、マルチチャンネル番組が同一番組である場合、マルチチャンネル毎に個別の番組構成枠が作成することなく、マルチチャンネルを跨いだ一つの番組構成枠を作成してもよい。この場合、ＣＰＵ２２１は、マルチチャンネルを跨いだ一つの番組構成枠がマルチチャンネル毎に同一の番組内容を表示するように分割された複数の番組構成枠を含むように作成してもよい。さらに、ＣＰＵ２２１は、マルチチャンネルを跨いだ一つの番組構成枠にマルチチャンネル間の境界線を背景色と同色または別色で重畳して表示制御するようにしてもよい。さらに、ＣＰＵ２２１（移動制御手段２２１ａ）は、ユーザ操作に基づいて、マルチチャンネルを跨いだ一つの番組構成枠にさらに含まれる複数の番組構成枠単位でカーソルの位置を移動制御するようにしてもよい。つまり、ＣＰＵ２２１（描画処理手段２２１ａ）は、マルチチャンネルを跨いだ一つの番組構成枠にさらに含まれる複数の番組構成枠のうちカーソルが位置するいずれかの番組構成枠に黄色を付すように描画処理すればよい。さらに、ＣＰＵ２２１（描画処理手段２２１ａ）は、マルチチャンネルを跨いだ一つの番組構成枠にさらに含まれる複数の番組構成枠のうち他の番組構成枠に淡い緑色を付すように描画処理すればよい。上記構成により、ユーザは、チャンネルを跨いだ一つの番組構成枠が表示されているとしても、見た目上、マルチチャンネル毎に個別の番組構成枠が作成されているのと同様に、マルチチャンネル表示であることを視認することができる。
【００２６】
図３は、上記説明した第１の実施形態に係る電子番組表の表示処理の一例を示すフローチャートである。ここでは、ＣＰＵ２２１は、ユーザ操作に基づいて、映像表示装置１９に電子番組表をすでに表示制御しているものとする。
【００２７】
はじめに、ＣＰＵ２２１は、カーソル位置を判定する（Ｂｌｏｃｋ１００１）。Ｂｌｏｃｋ１００１では、ＣＰＵ２２１は、電子番組表を構成するどの番組構成枠にカーソルが位置するかを判定する。さらに、ＣＰＵ２２１は、第１の番組構成枠のサービス及び番組を特定する。つまり、ＣＰＵ２２１は、第１の番組構成枠の番組がマルチチャンネル番組か否か、及び、番組構成枠の番組内容を、例えば不揮発性メモリ２２４に保存されている番組情報に基づいて特定する。また、ＣＰＵ２２１は、マルチチャンネル表示で作成した電子番組表を映像表示装置１９に表示制御しているか否かを特定する。
【００２８】
次に、ＣＰＵ２２１は、Ｂｌｏｃｋ１００１での特定に基づいて、第１の番組構成枠の番組がマルチチャンネル番組か否かを判断する（Ｂｌｏｃｋ１００２）。ＣＰＵ２２１は、第１の番組構成枠の番組がマルチチャンネル番組であると判断した場合（Ｂｌｏｃｋ１００２、Ｙｅｓ）、Ｂｌｏｃｋ１００１での特定に基づいて、電子番組表がマルチチャンネル表示で作成されているか否かを判断する（Ｂｌｏｃｋ１００３）。
【００２９】
ＣＰＵ２２１は、電子番組表がマルチチャンネル表示で作成されていると判断した場合（Ｂｌｏｃｋ１００３、Ｙｅｓ）、同一番組処理する（Ｂｌｏｃｋ１００４）。Ｂｌｏｃｋ１００４では、ＣＰＵ２２１は、第１の番組構成枠の番組がマルチチチャンネル番組に含まれる少なくとも一つの番組と同一番組であれば、同一番組の２以上の番組構成枠を一つの同類グループとしてグルーピングする（Ｂｌｏｃｋ１００４）。
【００３０】
次に、ＣＰＵ２２１は、カーソルを描画処理する（Ｂｌｏｃｋ１００５）。Ｂｌｏｃｋ１００５では、ＣＰＵ２２１（描画処理手段２２１ａ）は、一例として上記説明したように、第１の番組構成枠に黄色を付すように描画処理し、Ｂｌｏｃｋ１００４でグルーピングした第２の番組構成枠があれば、第２の番組構成枠に淡い緑色を付すように描画処理する。なお、Ｂｌｏｃｋ１００５では、ＣＰＵ２２１（描画処理手段２２１ａ）は、第１の番組構成枠の番組がマルチチャンネル番組でないと判断した場合（Ｂｌｏｃｋ１００２、Ｎｏ）または電子番組表がマルチチャンネル表示で作成されていないと判断した場合（Ｂｌｏｃｋ１００３、Ｎｏ）、第１の番組構成枠のみをに黄色を付すように描画処理する。
【００３１】
第１の実施形態によれば、マルチチャンネル番組で同一番組が運用されていることを明示的に電子番組上で表示可能である。したがって、ユーザは、マルチチャンネル番組で同一番組が運用されていることを直感的に判りやすい。そのため、ユーザは、電子番組表上でのカーソル操作中の混乱を減らすことができる。
【００３２】
次に、第２の実施形態について説明する。第２の実施形態は、第１の実施形態で説明した電子番組表でのカーソル移動に関する。なお、第２の実施形態に係る映像表示装置、電子番組表の構成は、上記説明した第１の実施形態と同様であるため、説明を省略する。  
図４は、第２の実施形態に係る電子番組表の表示処理の一例を示すフローチャートである。Ｂｌｏｃｋ２００１〜Ｂｌｏｃｋ２００４、Ｂｌｏｃｋ２００６の処理は、Ｂｌｏｃｋ１００１〜Ｂｌｏｃｋ１００５の処理とそれぞれ同様であるため、説明を省略する。
【００３３】
Ｂｌｏｃｋ２００５では、ＣＰＵ２２１は、ユーザによるカーソルの左右いずれかの方向への移動操作に基づいて、カーソル位置を隣接次番組にスキップする。つまり、ＣＰＵ２２１（移動処理手段２２１ａ）は、第１の番組構成枠の番組がマルチチチャンネル番組に含まれる番組と異なる番組であれば、第１の番組構成枠のチャンネルと電子番組表上で隣接して表示されているチャンネルの番組構成枠にカーソルを移動処理する。このとき、カーソルの移動先となる番組構成枠は、マルチチャンネルの番組構成枠か否かに関係ない。
【００３４】
一方、ＣＰＵ２２１（移動処理手段２２１ａ）は、第１の番組構成枠の番組がマルチチチャンネル番組に含まれる少なくとも一つの番組と同一番組であれば、グルーピングされた番組構成枠（第１の番組構成枠に隣接する第２の番組構成枠）をスキップして、グルーピングされた番組構成枠のチャンネルと電子番組表上で隣接して表示されているチャンネルの番組構成枠（第２の番組構成枠に隣接する番組構成枠）にカーソルを移動処理する。つまり、ＣＰＵ２２１（移動処理手段２２１ａ）は、カーソルのチャンネル間移動のユーザ操作に基づいて、第１の番組構成枠と第２の番組構成枠が隣接する場合、第２の番組構成枠をスキップしてカーソルを移動処理する。したがって、ＣＰＵ２２１（移動処理手段２２１ａ）は、同類グループ内において番組構成枠単位でカーソルを移動処理させることはないので、同一番組の番組構成枠へのカーソル移動は一度であり、連続することはない。
【００３５】
図２に示す電子番組表を例にして説明する。カーソルは、０２１チャンネルの５時開始の番組の番組構成枠に位置しているとする。ユーザがリモートコントローラ６を用いて右方向へのカーソル移動を入力すると、ＣＰＵ２２１は、カーソルが位置する番組構成枠の番組と同一番組であるマルチチャンネル番組に含まれる０２２チャンネル、０２３チャンネルの５時開始の番組の番組構成枠をスキップして、マルチチャンネルに隣接して表示されている１６１チャンネルの番組構成枠にカーソルを移動処理する。なお、第２の実施形態は、横軸がチャンネル、縦軸が時間帯に設定された電子番組表を元にして説明したが、ＣＰＵ２２１（移動処理手段２２１ａ）は、横軸が時間帯、縦軸がチャンネルに設定された電子番組表であっても、同様にカーソルを移動処理すればよい。
【００３６】
第２の実施形態によれば、マルチチャンネル番組における同一番組の番組構成枠単位でのカーソル移動をスキップさせることで、カーソルの操作性が良くなる。ユーザは、マルチチャンネル番組の運用に沿って表示された電子番組表上で同一番組のマルチチャンネル表示の有無を確認しながらカーソルを移動操作できる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…映像表示装置、６…リモートコントローラ、１１…衛星デジタル放送チューナ、１３…地上衛星デジタル放送チューナ、１９…ディスプレイ、２２…制御モジュール、２５…通信Ｉ／Ｆ、２２１…ＣＰＵ、２２１ａ…移動制御手段、２２１ｂ…描画制御手段。
【図１】
2013175926.tif 000003
【図２】
2013175926.tif 000004
【図３】
2013175926.tif 000005
【図４】
2013175926.tif 000006